(57)【要約】【課題】簡易な構造で自立性のある紙製の容器にて、二種の食品を分けた状態で収容することができるようにし、ワンプレート感覚で使い勝手の良好な紙製自立容器を提供する。【解決手段】容器胴２の側方に向けて台座４が張り出ていて平面に載置可能な紙製自立容器１であり、容器胴２が台座４の両側それぞれに起立していて、一方の容器胴２の取り出し口５と他方の容器胴２の取り出し口５とが並ぶようにした。【選択図】図１
2018008720.tif 000002
【特許請求の範囲】
【請求項１】
スリーブ第一半面部分とスリーブ第二半面部分とが相対した紙材からなるスリーブをスリーブ途中部からスリーブ第一半面部分側に曲げて、この曲げによりスリーブ端の開口からなる取り出し口を上方に向けて起立する容器胴と、前記容器胴に連続していて、スリーブ第一半面部分からなる容器底半面板とスリーブ第二半面部分からなる容器底半面板との前記曲げに伴なう容器胴内方に向けての折り込みで、容器胴の下部を閉じて前記取り出し口が開き状態となる容器胴形状を維持する容器底と、前記容器底に連続していて、容器胴の側方に向けて張り出ていて平面に載置可能な台座とを備えた紙製自立容器において、
前記容器胴が台座の両側それぞれに起立していて、一方の容器胴の取り出し口と他方の容器胴の取り出し口とが並び設けられていることを特徴とする紙製自立容器。
【請求項２】
上記一方の容器胴と他方の容器胴とはそれぞれ容器胴の上部で互いに付勢状態で当接し、前記一方の容器胴の下部側と他方の容器胴の下部側とは離間していて、この一方の容器胴と他方の容器胴とで、容器胴の間への挿入物を挟み込み保持する保持手段が設けられている請求項１に記載の紙製自立容器。
【発明の詳細な説明】
【技術分野】
【０００１】
本発明は紙製の自立容器、特に紙材からなるスリーブを利用した紙製自立容器に関するものである。
【背景技術】
【０００２】
従来からコンビニエンスストアでは、店内で調理したアメリカンドッグ、コロッケ、鶏の唐揚げ、ハムカツなどの揚げ物食品をレジカウンターに設置のフードショーケースに並べて保温し、顧客の注文に応じてそのフードショーケースから取り出して販売することが行われている。
【０００３】
そしてこのコンビニエンスストアでの揚げ物食品の販売では、簡易な包装袋で包み込んだり、カップ状の容器に入れて手渡すようにしている。そしてカップ状の容器については、揚げ物食品の求めがあったときに店員が簡単に組み起こすことができる紙製のものが採用されている。
【０００４】
例えば特許文献１に示されているものは、カップ状とした紙製の容器であり、正面板と背面板とを相対させてスリーブの形態となる容器胴を形成するとともに、正面板と背面板との下部それぞれに容器底を得るための底板片が予め展開した状態で連接されていて、使用前には扁平であり、使用に際しては容器胴に対して正面板と背面板とが離れる方向に力を加えるとともに、正面板と背面板とのそれぞれに連接されている前記底板片それぞれを容器胴の内方に向けて折り込むものである。
【０００５】
そして正面板と底板片との間の上方に凸の折り部、また背面板と底板片との間の上方に凸の折り部の位置から底板片それぞれを容器胴の内方に折り込んで上下に重ね合わせて閉じた容器底を形成するとともに、正面板と背面板とが外方に向けて凸となる湾曲変形をして上部の取り出し口となる容器上部が開いた容器が得られるようにしたものであった。
【０００６】
また、特許文献２においても、同様に容器底の半面とされた底板片それぞれを容器胴の内側に向けて折り込んで、容器胴の膨らみと容器上部の開きとが得られるようにするとともに、底板片それぞれに連接の自立片を容器底側から側方に張り出して、単一の容器で自立できるようにしているものが提案されている。
【先行技術文献】
【特許文献】
【０００７】
【特許文献１】特許第５２３５０４１号公報
【特許文献２】特開２０１４−１１８１５９号公報
【発明の概要】
【発明が解決しようとする課題】
【０００８】
ところで、近年の上記揚げ物食品に複数の味付けのものが提供されてきている。そして購入者が味付けが異なるものを一緒に注文することが多く、それぞれの食品ごとに上述したカップ状の紙製容器に入れて販売している。しかしながら、購入者が食するに際してテーブル上にこれらの紙容器を置くと、容器それぞれが自立していてもテーブル上が複数の容器で乱雑な状態になり易いという不具合が出てくる。
【０００９】
そこで本発明は上記事情に鑑み、簡易な構造で自立性のある紙製の容器にて、二種の食品を分けた状態で収容することができるようにすることを課題とし、ワンプレート感覚で使い勝手の良好な紙製自立容器を提供することを目的とするものである。
【課題を解決するための手段】
【００１０】
（請求項１の発明）
本発明は上記課題を考慮してなされたもので、スリーブ第一半面部分とスリーブ第二半面部分とが相対した紙材からなるスリーブをスリーブ途中部からスリーブ第一半面部分側に曲げて、この曲げによりスリーブ端の開口からなる取り出し口を上方に向けて起立する容器胴と、前記容器胴に連続していて、スリーブ第一半面部分からなる容器底半面板とスリーブ第二半面部分からなる容器底半面板との前記曲げに伴なう容器胴内方に向けての折り込みで、容器胴の下部を閉じて前記取り出し口が開き状態となる容器胴形状を維持する容器底と、前記容器底に連続していて、容器胴の側方に向けて張り出ていて平面に載置可能な台座とを備えた紙製自立容器において、
前記容器胴が台座の両側それぞれに起立していて、一方の容器胴の取り出し口と他方の容器胴の取り出し口とが並び設けられていることを特徴とする紙製自立容器を提供して、上記課題を解消するものである。
【００１１】
（請求項２の発明）
そして本発明において、上記一方の容器胴と他方の容器胴とはそれぞれ容器胴の上部で互いに付勢状態で当接し、前記一方の容器胴の下部側と他方の容器胴の下部側とは離間していて、この一方の容器胴と他方の容器胴とで、容器胴の間への挿入物を挟み込み保持する保持手段が設けられていることが良好である。
【発明の効果】
【００１２】
（請求項１の発明の効果）
請求項１の発明によれば、紙材からなるスリーブをスリーブ途中部から曲げた容器胴を台座の両側で起立させており、構造が頗る簡単で安価なものとなる。またそれぞれ底が閉じられている二つの容器胴の取り出し口が並び設けられているので、収納した二種の食品の何れかを取り出すに際し、その選択が簡単であって使い勝手が良好となる。
【００１３】
（請求項２の発明の効果）
請求項２の発明によれば、対の容器胴それぞれの上部側が当接し合っているので、容器胴が単独で揺れたりすることがなく、それぞれに食品を入れて容器を手持ちしても容器胴の部分それぞれが安定し、容器を手持ちで支える操作が簡単なものとなるという効果を奏する。
【図面の簡単な説明】
【００１４】
【図１】本発明に係る紙製自立容器の一例を正面上方から見た状態で示す説明図である。
【図２】一例において蓋を閉じた状態を示す説明図である。
【図３】一例を側面下方から見た状態で示す説明図である。
【図４】容器底と台座とをスリーブ長手に沿った方向の縦断面で示す説明図である。
【図５】スリーブを示す説明図である。
【図６】ブランクの一例を示す説明図である。
【図７】ブランクでのスリーブ第一半面部分とスリーブ第二半面部分とを二つ折りして糊代で貼り合わせた状態を示す説明図である。
【発明を実施するための形態】
【００１５】
つぎに本発明を図１から図７に示す実施例に基づいて詳細に説明する。図中１は紙材からなる紙製自立容器で、図１、図２に示すように該紙製自立容器１は対の容器胴２と、この容器胴２の下部を閉じる容器底３と、前記対の容器胴２の間に亘っている台座４とからなり、台座４を下方としてテーブルなどの平面に載置可能とされている。
【００１６】
また紙製自立容器１全体は上記台座４の部分を持って片手で支持することができる大きさであり、前記容器胴２それぞれに例えば揚げ物食品などを収容し、容器胴２の上方に向いた取り出し口５から収納物を取り出すことができるようにしているものである。前記取り出し口５は、図３に示すように容器前方から容器後方に向けて上り傾斜していて、取り出し口５の頂上部分に蓋６が折り倒し可能に連接され、必要に応じてこの蓋６を倒して取り出し口５を閉じることができるように設けられている。（図２参照）
【００１７】
（容器胴）
紙製自立容器１は、図５に示すスリーブ７から組み起こされていて、このスリーブ７はスリーブ第一半面部分８とスリーブ第二半面部分９とが相対した紙材からなるものである。スリーブ７自体はスリーブ長手方向の両側に容器胴形成部分Ａがあるとともに、中央部分に台座形成部分Ｂがあり、容器胴形成部分Ａと台座形成部分Ｂとの間を容器底形成部分Ｃとしている。
【００１８】
そしてスリーブ長手方向に相対するスリーブ端を含む容器胴形成部分Ａそれぞれを、スリーブ途中部（容器底形成部分Ｃ）からスリーブ第一半面部分８側に曲げて、スリーブ端の開口からなる取り出し口５が上方に向けて起立する上記容器胴２が形成されている。容器胴２は前述のようにスリーブ７での容器胴形成部分Ａを曲げ起こしたものであることから、この容器胴２自体もスリーブ第一半面部分８とスリーブ第二半面部分９とが相対している。
【００１９】
なお、図５に示すスリーブ７は容器胴形成部分Ａを曲げて起こす前段階の状態を示しており、台座形成部分Ｂおよびこの台座形成部分Ｂに連続する容器底形成部分Ｃは扁平とされている。
【００２０】
（容器底）
容器底３は容器胴２に連続しており、上記容器底形成部分Ｃでのスリーブ第一半面部分８からなる第一の容器底半面板１０とスリーブ第二半面部分９からなる第二の容器底半面板１１とを上記曲げに伴なって容器胴内方に向けて折り込みを行ない、この第一の容器底半面板１０と第二の容器底半面板１１とが、図４に示すように容器胴２でのスリーブ第一半面部分８とスリーブ第二半面部分９との対向方向に沿う方向に折り込まれて容器胴２の下部を閉鎖する容器底３を形成している。
【００２１】
図示の実施例において、第一の容器底半面板１０と第二の容器底半面板１１とは、容器胴２に対して山形の折り罫１２を介して連接されているとともに、上記台座４に対してスリーブ７の長手方向と直交する直線の折り罫１３を介して連接していて、スリーブ７の形態でのスリーブ第一半面部分８とスリーブ第二半面部分９との領域中では、それぞれスリーブ端に頂点を向けた略二等辺三角形の形状としている。（図６参照）
【００２２】
そして、容器胴２が立て起きするスリーブ７の上記曲げに際し、山形の折り罫１２の部分から第一の容器底半面板１０と第二の容器底半面板１１とを容器胴内方に向けて折り込みし、第一の容器底半面板１０が直線の折り罫１３から台座４の上に折り重ねられている。第一の容器底半面板１０と第二の容器底半面板１１とを容器胴内方に向けて折り込みしていることから、容器胴２のスリーブ第一半面部分８とスリーブ第二半面部分９それぞれが、対向方向にして離れる方向に凸となるように湾曲変形して容器胴２それぞれの内部が開いた状態となり、この容器底３が容器胴形状維持手段の役割を担って、容器胴２それぞれの上記取り出し口５を開き状態となる容器胴形状を維持している。
【００２３】
（台座）
上述したように台座４は容器底３に連続していて、台座４でのスリーブ第一半面部分８とスリーブ第二半面部分９とが重なり、スリーブ幅方向での中央部が盛り上がった断面形状が容器底３側から台座４の長さ方向（スリーブ７の長手方向）に連続している。第一の容器底半面板１０と第二の容器底半面板１１とを折り込むスリーブ途中部からの曲げによって、取り出し口５を開いた容器胴２それぞれが台座４の両側で起立しており、また容器底３の領域も含めて台座４が、前述のように中央部が盛り上がった断面形状を呈していることから、この台座４の断面形状を平らにして台座４への第一の容器底半面板１０の重なりを解く操作をしない限り、仮に容器胴２を外方（容器胴が離れる方向）に傾けるような外力が加わったとしても、容器胴２の傾きが不用意には生じないように設けられている。
【００２４】
そして台座４は容器胴２に対してこの容器胴２の側方に向けて張り出ているものであり、テーブルなどの平面に台座４を載置することで、容器全体が自立し、上記取り出し口５を上方に向いて、収納物が簡単に取り出すことができる容器となる。特に、本実施例では、対の容器胴２同士は上部側で接し合っていて、一方の容器胴２の取り出し口５と他方の容器胴２の取り出し口５とが並び設けられている。そのため、収納した二種の食品の何れかを取り出すに際し、その選択が容易である。
【００２５】
さらに本実施例の紙製自立容器１では、対の容器胴２同士は単に接し合っているだけではなく、それぞれ容器胴２の上部で互いに付勢状態で当接し合っていて、容器胴２の立ち姿勢を安定させている。
【００２６】
（保持手段）
また図示されているように一方の容器胴２の下部側と他方の容器胴２の下部側とは離間して、この対の容器胴２の間には上記台座４を上下から挟み持った指などを嵌め入れることができる隙間１４がある。上述したように容器胴２同士は上部で互いに付勢状態当接していることから、前記隙間１４に嵌め入れた指などの挿入物を挟み込み保持するようにしており、一方の容器胴２と他方の容器胴２とによって前記隙間１４への挿入物を挟み込み保持する保持手段１５が形成されている。
【００２７】
このように別部材を用意すること無しに対の容器胴２からなる保持手段１５を備えており、台座４を挟み持つ指先などを前記保持手段１５に保持させることができる。よって台座４を挟み持つ片手の指先を保持手段１５に保持させるようにすれば、紙製自立容器１側からその指先に係止する状態となり、紙製自立容器を片手持ちしたときでも安定して支えることができるという効果がある。
【００２８】
図６は上記スリーブ７を得るためのブランク１６の一例を示していて、このブランク１６は、紙製自立容器１の背面側である蓋６とこの蓋６が連続する容器胴２の縦側辺部分とが、中央に位置するタイプである。そしてブランク１６で示されているようにスリーブ７は、該スリーブ７の胴回り方向にして上記スリーブ第一半面部分８とスリーブ第二半面部分９とが折り部を介して連接されているとともに、スリーブ第二半面部分９の側辺の糊代１７にスリーブ第一半面部分８を貼り合わせている。
【００２９】
上記ブランク１６では、糊代１７とスリーブ第一半面部分８との貼り合わせを行ない易くするために、スリーブ第一半面部分８とスリーブ第二半面部分９との中央にスリーブ長さ方向に沿って折り部が設けられている。そして図７に示すようにこの折り部からスリーブ第一半面部分８とスリーブ第二半面部分９とをそれぞれ二つ折りしながら糊代１７とスリーブ第一半面部分８とを貼り合わせている。
【００３０】
実施例の紙製自立容器１を組み起こすことができるスリーブ７の形態とする場合には、それぞれ二つ折りのスリーブ第一半面部分８とスリーブ第二半面部分９とを展開し、図５に示すようにこの二つ折りのスリーブ第一半面部分８とスリーブ第二半面部分９とを相対させるようにすればよい。
【００３１】
さらに、紙製自立容器１を得るにあたっては、上記第一の容器底半面板１０と第二の容器底半面板１１が位置する部分から、スリーブ第一半面部分８側に、容器胴２とする部分の折り曲げを行なって、取り出し口５（スリーブ端の開口）を上方に向けるとともに、第一の容器底半面板１０と第二の容器底半面板１１との部分および台座４を、その中央部分が上方に凸となるように押し上げることで、第一の容器底半面板１０と第二の容器底半面板１１との容器胴内方に向けての折り込みによる容器胴２の形成が行われ、開き状態の取り出し口５を有する対の容器胴２が台座４の端部それぞれで起立して、平面に載置させることで自立する容器となるものである。
【００３２】
なお、上記実施例の紙製自立容器１においては、容器胴２の取り出し口５の頂部側に折り罫部分を介して蓋６を連接し、その蓋６を折り倒すことができる折り罫部分を上辺とする三角状の平面を設けて、取り出し口５の開き状態を確保し易くしている。しかしながら、本発明において蓋は必ずしも必要とされるものではない。また蓋を連接する形態においても、取り出し口５の頂部である必要はなく、容器胴のスリーブ第一半面部分やスリーブ第二半面部分の上辺に折り倒し可能に連接するようにすることも可能である。
【００３３】
また上記実施例において、スリーブ７からの容器胴形成部分Ａの曲げ起こしは、図５の矢印Ｘ方向であるスリーブ第一半面部分８側として説明したが、本発明は曲げる方向自体が限定されているものでははく、図５の矢印Ｙ方向であってもよいものである。このようにスリーブにあっては、何れの方向への曲げ操作にも対応できることが好ましいことから、実際のブランク１６にあっては、スリーブ第一半面部分とスリーブ第二半面部分とのいずれにも、第一の容器底半面板となり得る領域が存在するように直線の折り罫がブランク幅方向に連続している。よって、容器胴形成部分Ａを曲げた側をスリーブ第一半面部分とするものである。
【００３４】
さらに第一の容器底半面板および第二の容器底半面板を形成する山形の折り罫１２にあっては、二辺の直線状の罫に限定されるものではなく、弧状の罫であってもよい。
【符号の説明】
【００３５】
１…紙製自立容器
２…容器胴
３…容器底
４…台座
５…取り出し口
６…蓋
７…スリーブ
８…スリーブ第一半面部分
９…スリーブ第二半面部分
１０…第一の容器底半面板
１１…第二の容器底半面板
１５…保持手段
１６…ブランク
１７…糊代
Ａ…容器胴形成部分
Ｂ…台座形成部分
Ｃ…容器底形成部分
【図１】
2018008720.tif 000003
【図２】
2018008720.tif 000004
【図３】
2018008720.tif 000005
【図４】
2018008720.tif 000006
【図５】
2018008720.tif 000007
【図６】
2018008720.tif 000008
【図７】
2018008720.tif 000009